(57)【特許請求の範囲】
【請求項１】
コネクタハウジング内の上下部位に、２個の端子ブロックをその上下両端をコネクタハウジングから突出するようにして収納固定し、コネクタハウジング本体内へ導入したケーブルの各芯線を上下の端子ブロックへ配設して接続したもので、前記各端子ブロックを他の電気コネクタへ嵌合して接続するように構成した電気コネクタにおいて、バネ性を有するロックアームと係脱自在に係合突部を設けたコネクタハウジングの正面部に、バネ性を有するスライドバーを、上下にスライド自在に、かつコネクタハウジングと係合して上方へ引き上げ自在に配置し、該スライドバーの下端の表裏両側に、コネクタハウジング正面部に設けた段差部にて外側へ押出し案内され、スライドバーを外側へ弾性変形する突設部と、該スライドバーの弾性変形によってロックアームを外側へ押圧変形し、係合突部との係合を解除する突設部とを有するロック解除ヘッドを設けて成ることを特徴とする電気コネクタ。
【発明の詳細な説明】
【０００１】
【発明の属する技術分野】
本発明は電気コネクタ、例えば、電子装置裏面に設けられるＢＷＢコネクタに直接実装される電気コネクタに関する。
【０００２】
【従来の技術】
従来この種の電気コネクタとしては、図１３ないし図１５に示した如く、コネクタハウジングａ内の下部に、図示しないケーブルと接続された端子内蔵の端子ブロックｂをその下方を突出するようにして収納固定し、該端子ブロックｂの下方突出部分を、他の電子装置に搭載された雌型電気コネクタ、即ち図示のコネクタハウジングｃにおけるコネクタ嵌合凹部ｄ内に挿入することにより、両電気コネクタを嵌合接続するようにしたものが知られている。
【０００３】
また、コネクタハウジングｃのコネクタ嵌合凹部ｄの一側と、コネクタハウジングａの正面壁下方にあって突出片ｅの外面中央には、バネ性を有するロックアームｆと係合突部ｇとを各々設け、コネクタハウジングａに誇設したスライドバーｈの下端に、上記ロックアームｆと係合突部ｇとのロック解除片ｉ、ｉを設け、上記スライドバーｈを押し下げることで、そのロック解除片ｉ、ｉがロックアームｆを外側へ押圧変形させて係合突部ｇとの係合を解除するように構成したものが知られている。
尚、図中ｊはスライドバーｈの上端に連結されたコネクタ引き抜きタブを示す。
【０００４】
【発明が解決しようとする課題】
しかし乍ら、従来の上記した電気コネクタは、コネクタハウジングａの下部に、他の電気装置等のケーブルと接続された端子内蔵の端子ブロックｂを１個設けただけであるため、用途が限られており、利便性に欠けるきらいがあった。
【０００５】
また、上記従来のコネクタロック解除機構は、スライドバーｈを押し下げ、ロック解除した後、コネクタ引き抜きタブｊを持ってコネクタハウジングａを引き抜くように構成されているため、コネクタハウジングｃからコネクタハウジングａを抜き取る際、スライドバーｈの押し下げによるロック解除操作と、タブｊの引き上げによる引き抜き操作との２操作が必要であって操作が面倒である上、スライドバーｈのロック解除操作が、コネクタハウジングａの引き抜き方向と反対方向であるから、操作性も悪く、また、スライドバーｈの他に、引き抜きタブｊが必要であった。
【０００６】
【目的】
本発明は、上記従来の電気コネクタが有するこのような問題点に鑑みてなされたもので、上下両部位に他のコネクタと接続する端子ブロックを設けることにより広範囲の用途に適応できるようにすると共に、コネクタハウジングの引き抜き方向と同一方向へスライドバーを引き上げることによりコネクタハウジングのロックが解除されるように構成することによって、コネクタハウジングのロック解除と引き抜きとを同時に、簡便に、かつ操作性良く行なうことができると共に、スライドバーが従来機構の引き抜きタブを兼用するので、構造的に簡素である電気コネクタを提供することを目的とする。
【０００７】
【課題を解決するための手段】
上記目的を達成するための手段は、コネクタハウジング内の上下部位に、２個の端子ブロックをその上下両端をコネクタハウジングから突出するようにして収納固定し、コネクタハウジング本体内へ導入したケーブルの各芯線を上下の端子ブロックへ配設して接続したもので、前記各端子ブロックを他の電気コネクタへ嵌合して接続するように構成した電気コネクタにおいて、バネ性を有するロックアームと係脱自在に係合突部を設けたコネクタハウジングの正面部に、バネ性を有するスライドバーを、上下にスライド自在に、かつコネクタハウジングと係合して上方へ引き上げ自在に配置し、該スライドバーの下端の表裏両側に、コネクタハウジング正面部に設けた段差部にて外側へ押出し案内され、スライドバーを外側へ弾性変形する突設部と、該スライドバーの弾性変形によってロックアームを外側へ押圧変形し、係合突部との係合を解除する突設部とを有するロック解除ヘッドを設けて成ることを特徴とする。
【０００８】
【発明の実施の形態】
以下、本発明の実施の形態について図面を参照して説明する。
図１は本発明の使用状態を示す分解した正面図であり、図２〜図８までは各コネクタを示す図であり、図９〜図１２まではロック解除機構を示す図である。
【０００９】
図１ないし図８に示したように、本発明の電気コネクタＡは、コネクタハウジング１内の上下部位に、２個の端子ブロック２、３をその上下両端をコネクタハウジング１から突出するようにして収納固定し、コネクタハウジング１内へ導入したケーブル４の各芯線４ａ・・・を上下の端子ブロック２、３へ配設して接続したもので、前記各端子ブロック２、３を他の電気コネクタＢ、Ｃへ嵌合して接続するように構成してある。
【００１０】
上記コネクタハウジング１は、本体ケース１ａと、これと嵌め外し自在のケースカバー１ｂとよりなっている。そして、本体ケース１ａ内の上部には、端子ブロック２の下側収納部５が、下部には端子ブロック３の上側収納部６が、その間に横長の芯線導入部７を介在して各形成されると共に、本体ケース１ａ内の芯線導入部７の片側（図６の右側）には、これに連通するようケーブル収納部８を各形成してある。
【００１１】
一方、本体ケース１ａの内面両端には、弾性を有する複数個（図示例では３個）の嵌合用脚片９・・・を垂直に植設させてあり、該各嵌合用脚片９・・・をケースカバー１ｂの各対応側面に設けられた凹部１０・・・へ係合することにより、ケースカバー１ｂと本体ケース１ａとは一体的に嵌合固定される。
【００１２】
上記コネクタハウジング１の本体ケース１ａの上部一側（図１では右側）にあってその正面側端縁には、端子ブロック２と対向するように、若干の間隔を置いてロックアーム１１を一体に、かつ垂直に立設させてある。
上記ロックアーム１１は、後述する電気コネクタＢの係合突部と係合する水平な係合片１１ａと該係合片１１ａの両端から下方へ並列に垂設した左右の脚片１１ｂ、１１ｂとで正面門型に形成され、これによって、当該ロックアーム１１は外側へ弾性変形でき、かつ垂直位置へ弾性復帰するようバネ性が与えられている。また、上記係合片１１ａの内面上部は、上端から下部内側へ傾斜下降した傾斜面１１ｃが形成してある。
【００１３】
電気コネクタＢは、図１、図７及び図８に示したように、電気コネクタＡのコネクタハウジング１と比べて小型のコネクタハウジング１２を備えている。そして、このコネクタハウジング１２の下部は、前記電気コネクタＡにおけるコネクタハウジング１の端子ブロック２に嵌合可能な形状及び大きさのケース部１２ａに形成されると共に、該ケース部１２ａ内で頂板１２ｂを貫通して下方へ突出するよう複数個（図示例では１６個）の端子１３・・・が、コネクタハウジング１の端子ブロック２へ嵌入接続可能に保持させてある。
【００１４】
上記コネクタハウジング１２のケース部１２ａの正面側には、図１及び図９ないし図１２に示したように、電気コネクタＡのコネクタハウジング１のロックアーム１１と係脱自在な係合突部１４が一体に突設してある。
そして、この係合突部１４は、図１１に明示した如く、前面上部１４ａを垂直に、上面を水平な係合面１４ｂに、前面下部を、前方上部から後部（図１１において右側）下方へ傾斜下降する傾斜面１４ｃに各々形成してある。これによって、コネクタハウジング１２のケース部１２ａに電気コネクタＡの端子ブロック２が嵌め込まれることで、係合突部１４の傾斜面１４ｃと、上記したロックアーム１１の傾斜面１１ｃとが突き当り、互いの押し込み力によって上記両傾斜面１１ｃ、１４ｃが滑動してロックアーム１１は外側へ押圧湾曲され、上記両傾斜面１１ｃ、１４ｃの係合が外れると同時に、ロックアーム１１が垂直位置に弾性復帰して、その係合片１１ａの下面と上記水平な係合面１４ｂ、つまりロックアーム１１と係合突部１４が互いに係合し、電気コネクタＡと電気コネクタＢがロックされ、両者の引き抜きが阻止される。
【００１５】
而して、図９及び図１０に明示したように、コネクタハウジング１２の上記係合突部１４を設けた正面下部には、後述するスライドバー１５の下部をスライド自在に嵌合するための凹溝部１６を正面略凸字形状に形成して、その内側上部の左右両側には下向きのスライドバー係合部１６ａ、１６ａを対向するように突設してあり、かつ前記凹溝部１６のスライドバー係合部１６ａ、１６ａの上方には、スライドバー挿通孔１７が凹溝部１６と連通するように設けてある。
【００１６】
そして、上記した凹溝部１６、スライドバー挿通孔１７には、板状で、弾性変形可能な縦長のスライドバー１５を上下方向へスライド自在に嵌挿して配置してある。このスライドバー１５は、図１、図１０に明示した如く、下端の横幅方向両側には、上記した凹溝部１６内のスライドバー係合部１６ａ、１６ａと係合する係合突起１５ａ、１５ａを対称に突設させてあると共に、下端中央部から下方へ突出してロック解除ヘッド１５ｂを一体に形成してある。
【００１７】
上記ロック解除ヘッド１５ｂは、図１２（Ａ）、（Ｂ）に示した如く、スライドバー１５の板厚方向における表裏両側に、上面を上部から下部外側へ対称に傾斜下降した傾斜面１５ｅ、１５ｆに設けた突設部１５ｃ、１５ｄを各々形成してある。そして、裏側の突設部１５ｄは、上記した凹溝部１６の下部に形成した縦長条溝１６ｂ内へ脱出自在に嵌合され、表側の突設部１５ｃは上記したロックアーム１１を外側へ押出湾曲するように設けられている。
【００１８】
上記した凹溝部１６の正面には、縦長条溝１６ｂを設けたことで段差部１６ｃを傾斜形成させてあり、上記ロック解除ヘッド１５ｂ裏側の突設部１５ｄは、図９に示したように、スライドバー１５が下降し、コネクタハウジング１２がロックされている状態では、上記縦長条溝１６ｂ内に嵌合されて上記段差部１６ｃに係合保持されており、スライドバー１５の引き上げによって上記突設部１５ｄが図１２（Ａ）に示したように段差部１６ｃに案内されてその上方の突出前面に乗り上がることで、当該スライドバー１５の下部が前方外側へ向けて弾性変形され、これによって、図１２（Ａ）に示した如く、表側の突設部１５ｃによりロックアーム１１を前方へ押圧変形し、係合突部１４との係合を解除し、電気コネクタＢのコネクタハウジング１２がロック解除されるようになっている。
【００１９】
上記したスライドバー１５は、弾性を有するプラスチックによって成形され、ロック状態において、図１等に示した如く、コネクタハウジング１２の上面よりも適当長さだけ上方へ突出させて把持し易くしてある。
【００２０】
而して、上記したコネクタロック解除機構によれば、スライドバー１５を下降した状態で、電気コネクタＢ、即ちコネクタハウジング１２のケース部１２ａを、電気コネクタＡ、即ちコネクタハウジング１の上部に突出する端子ブロック２へ嵌め込み操作すると、既述したように、コネクタハウジング１２に突設した係合突部１４がコネクタハウジング１のロックアーム１１と係合し、電気コネクタＢは電気コネクタＡとロックされ抜け出しが阻止される。
【００２１】
図１１に示したロック状態において、スライドバー１５を引き上げると、ロック解除ヘッド１５ｂの裏側の突設部１５ｄが、縦長条溝１６ｂ内から段差部１６ｃに案内されて、前記縦長条溝１６ｂ上方の凹溝部１６の前面に図１２（Ａ）に示した如く乗り上がる。これにより、スライドバー１５の下部は前方へ押圧されて弾性変形し、係合突部１４との係合が外される。
即ち、電気コネクタＢの電気コネクタＡに対するロックが解除される。
【００２２】
更にスライドバー１５を引き上げると、下部の係合片１５ａ、１５ａが、凹溝部１６内の係合部１６ａ、１６ａと係合するので、このままスライドバー１５を引き上げることで、電気コネクタＢを電気コネクタＡから引き抜くことができる。
【００２３】
電気コネクタＣは、図１に示したように、電子装置の裏側に搭載された雌型のコネクタハウジング１８を備えている。そして、このコネクタハウジング１８のコネクタ嵌合凹部１９の一側（図示例では前面）にはロックアーム２０を一体に、かつ垂直に立設させてある。
【００２４】
上記ロックアーム２０も、前記した電気コネクタＡのコネクタハウジング１に設けられたロックアーム１１と同様に構成されている。即ち、水平な係合片２０ａと、該係合片２０ａの両端から下方へ並行に垂設された左右の脚片２０ｂ、２０ｂとで正面門型に形成され、これによって、前後方向へバネ性が与えられている。
【００２５】
このロックアーム１１の係合片２０ａに係合する電気コネクタＡの係合突起２１及びロック解除用の略変形Ｌ字形状に屈曲したスライドバー２２等は図示例では、電気コネクタＢのそれとは違って従来タイプのものが記載されているが、電気コネクタＢの方式とすることができる。
【００２６】
【発明の効果】
本発明は、以上説明したように構成されているので、小型かつ簡略な構成で多種用途に適用できる利便性を有すると共に、スライドバーを引き上げるだけで、コネクタのロック解除と、コネクタの引き抜きを同時に、かつ一方向への単一操作によって操作性良く、簡便に行なうことができる。
さらに、そのスライドバーは、既存の引き抜きタブを兼用するので、ハウジング、コネクタ以外に当該スライドバー単体を付加するだけでよりから、構造的に簡素であり、低コストに製造できる。
【図面の簡単な説明】
【図１】  本発明に係る電気コネクタＡの使用状態を示す分解した正面図である。
【図２】  同上コネクタＡの平面図である。
【図３】  同上コネクタＡの底面図である。
【図４】  同上コネクタＡの右側面図である。
【図５】  同上コネクタＡの左側面図である。
【図６】  同上コネクタＡの内部構造を示す正面図である。
【図７】  本発明に係る他の電気コネクタＢの平面図である。
【図８】  同上コネクタＢの底面図である。
【図９】  本発明に係るコネクタロック解除機構の実施形態を示すコネクタロック状態の一部断面した側面図である。
【図１０】  同上コネクタロック解除機構のコネクタロック状態を示す正面図である。
【図１１】  図１０におけるＡ−Ａ線矢視一部断面した側面図である。
【図１２】  図１０におけるＢ−Ｂ線矢視一部断面した側面図であり、（Ａ）はコネクタロック解除機構のロック解除状態を示し、（Ｂ）はコネクタ引き抜き状態を各示す。
【図１３】  従来のコネクタロック解除機構を示すコネクタロック状態の正面図である。
【図１４】  図１３におけるＢ−Ｂ線矢視一部断面した側面図である。
【図１５】  図１３におけるＣ−Ｃ線矢視一部断面した側面図である。
【符号の説明】
１      コネクタハウジング
２      端子ブロック
３      端子ブロック
４      ケーブル
４ａ    芯線
１１    ロックアーム
１２    コネクタハウジング
１４    係合突部
１５    スライドバー
１５ｂ  ロック解除ヘッド
１５ｃ  突設部
１５ｄ  突設部
１６ｃ  段差部
Ａ      電気コネクタ
Ｂ      電気コネクタ
Ｃ      電気コネクタ
【図１】
0003990007.tif 000002
【図２】
0003990007.tif 000003
【図３】
0003990007.tif 000004
【図４】
0003990007.tif 000005
【図５】
0003990007.tif 000006
【図６】
0003990007.tif 000007
【図７】
0003990007.tif 000008
【図８】
0003990007.tif 000009
【図９】
0003990007.tif 000010
【図１０】
0003990007.tif 000011
【図１１】
0003990007.tif 000012
【図１２】
0003990007.tif 000013
【図１３】
0003990007.tif 000014
【図１４】
0003990007.tif 000015
【図１５】
0003990007.tif 000016